(57)【要約】【課題】安価な構成で、掃除機の排気口を通過する空気に含まれるハウスダストなどの微細な塵埃も確実に除去できる電気掃除機を提供する。【解決手段】吸引風を発する電動送風機２を内蔵した掃除機本体１と、前記掃除機本体１に設けた集塵室６と、前記電動送風機２から排出された排気風を前記掃除機本体１外へ排出するための排気口１０と、前記排気口１０の近傍に配され、前記排気風に含まれる塵埃を燃焼させる熱線８とを設けたもので、排気口１０から排出される空気に含まれる塵埃が熱線を通過する際に燃焼、消滅するので、掃除機本体１外部への塵埃の排出を防止することができる。【選択図】図１
2011010934.tif 000002
【特許請求の範囲】
【請求項１】
吸引風を発する電動送風機を内蔵した掃除機本体と、前記掃除機本体に設けた集塵室と、前記電動送風機から排出された排気風を前記掃除機本体外へ排出するための排気口と、前記排気口の近傍に配され、前記排気風に含まれる塵埃を燃焼させる熱線とを設けた電気掃除機。
【請求項２】
掃除機本体の運転停止時に、熱線への通電を停止した後、所定時間経過後に電動送風機を停止させることを特徴とした請求項１に記載の電気掃除機。
【請求項３】
電動送風機への通電中に、熱線への通電を行うことを特徴とした請求項１に記載の電気掃除機。
【請求項４】
電動送風機の回転数に応じて、熱線への通電量を変化させて、前記熱線の温度が常に所定の温度になるように制御する請求項１〜３のいずれか１項に記載の電気掃除機。
【発明の詳細な説明】
【技術分野】
【０００１】
本発明は、一般家庭において使用される電気掃除機に関するものである。
【背景技術】
【０００２】
現在、生活環境の変化により、花粉などを含むハウスダストに対する関心が高まり、掃除の際に電気掃除機の排気口を通して排出された空気の中に含まれる塵埃がハウスダストと称されて、掃除をした後の部屋を汚したり、小さい子供のいる家庭などにおいては、体によくないなど言われている例もあり、電気掃除機の排気口を通過した空気に含まれる塵埃をできるだけ排出しないようにするためにさまざまな機能をもつ電気掃除機が提案されている。
【０００３】
その一つとして、電気掃除機本体の排気口に装着したフィルターの集塵性能を高めて、排気口から排出されるハウスダストを低減するようにしたものがあり、また、電気掃除機本体の排気口を通過する空気を浄化するために、その排気口近傍に光触媒などを配した電気掃除機なども提案されている（例えば、特許文献１参照）。
【先行技術文献】
【特許文献】
【０００４】
【特許文献１】特開２００５−７１９５号公報
【発明の概要】
【発明が解決しようとする課題】
【０００５】
しかしながら、上記特許文献１に記載されたような従来の電気掃除機の構成では、集塵性能に優れたフィルターを用いても、排気口を通過する空気に含まれる塵埃を完全に除去することはできず、極一部の微細な塵埃がフィルターを通過し電気掃除機の外部へと排出されてしまう。
【０００６】
また、上記特許文献２に記載されたような従来の電気掃除機の排気口近傍に配した光触媒は、フィルターを通過した空気を光触媒に接触させることで空気を殺菌することで排気口を通過する空気を浄化したり、あるいは排気口を通過する空気の脱臭をするためのものであり、電気掃除機の外部へ排出される塵埃を完全に除去することはできない。
【０００７】
このように、掃除を行う際、電気掃除機から排出される空気にハウスダストや花粉などの小さな塵埃が含まれる場合があるが、従来の電気掃除機では、その微細な塵埃を完全に除去することはできないという課題を有していた。
【０００８】
本発明は、前記従来の課題を解決するもので、掃除機の排気口を通過する空気に含まれるハウスダストなどの微細な塵埃も除去し、掃除を行った後の部屋の環境を浄化することのできる電気掃除機を提供することを目的とする。
【課題を解決するための手段】
【０００９】
前記従来の課題を解決するために、本発明の電気掃除機は、吸引風を発する電動送風機を内蔵した掃除機本体と、前記掃除機本体に設けた集塵室と、前記電動送風機から排出された排気風を前記掃除機本体外へ排出するための排気口と、前記排気口の近傍に配され、前記排気風に含まれる塵埃を燃焼させる熱線とを設けたもので、排気口から排出される空気に含まれる塵埃が熱線を通過する際に燃焼、消滅するので、掃除機本体外部への塵埃の排出を防止することができる。
【発明の効果】
【００１０】
本発明の電気掃除機は、排気口を通過する空気に含まれる塵埃を消滅させることにより、掃除を行った後の部屋にハウスダストなどのような微細な塵埃をなくすことができ、清潔な環境を作り出すことができる。
【図面の簡単な説明】
【００１１】
【図１】本発明の実施の形態１における電気掃除機の斜視図
【発明を実施するための形態】
【００１２】
第１の発明は、吸引風を発する電動送風機を内蔵した掃除機本体と、前記掃除機本体に設けた集塵室と、前記電動送風機から排出された排気風を前記掃除機本体外へ排出するための排気口と、前記排気口の近傍に配され、前記排気風に含まれる塵埃を燃焼させる熱線とを設けたもので、排気口から排出される空気に含まれる塵埃が熱線を通過する際に燃焼、消滅するので、掃除機本体外部への塵埃の排出を防止することができる。
【００１３】
第２の発明は、特に、第１の発明の掃除機本体の運転停止時に、熱線への通電を停止した後、所定時間経過後に電動送風機を停止させるもので、熱い熱線やその近傍の排気口の温度が、電動送風機の排気風で低下するので、掃除終了後の掃除機本体の収納等も安全に行うことができる。
【００１４】
第３の発明は、特に、第１の発明の電動送風機への通電中に、熱線への通電を行うもので、熱線への通電時間を必要最小限に抑え、省エネを図ることができると共に、電動送風機の停止中に熱線からの熱で、排気口付近の部材が熱劣化することがない。
【００１５】
第４の発明は、特に、第１〜３のいずれか一つの発明の電動送風機の回転数に応じて、熱線への通電量を変化させて、前記熱線の温度が常に所定の温度になるように制御するもので、電動送風機の回転数が高い場合には、熱線を通過する空気の量が多量で、高速となる為、熱線が非常に冷却されてしまうことになる。熱線は、所定の温度以上を保持できなければ、塵埃を燃焼、消滅することができなくなるため、この場合には、熱線への通電量を増加させ、熱線の温度が高温となるようにする。また、電動送風機の回転数が低い場合には、熱線を通過する空気の量は低速となり、冷却される度合いが低下するため、熱線への通電量を減少させることにより、熱線の温度を一定に保持することができるようになる。このようにして、電動送風機の回転数が変化しても、確実に塵埃を燃焼させることができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における電気掃除機の外観図である。
【００１８】
図１において、１は、掃除機本体（以下、「本体１」と称す）で、２は、本体１内に収納され吸引力を発生させる電動送風機である。本体１には、ホース３の一端が接続され、ホース３の他端の一部に、使用者が操作する操作部４が設けられている。また、本体１内には、集塵袋５を収納した集塵室６が設けられている。電動送風機２の後方には、排気風に含まれる塵埃を捕集するフィルター７が配され、そのフィルター７の後方には、熱線８が配されている。
【００１９】
以上のように構成された本実施の形態における電気掃除機の動作、作用を以下に説明す
る。
【００２０】
まず、本体１を商用電源（図示せず）に接続する。接続と同時に、熱線８へ通電を行い熱線８の温度を十分にあげていく。次に、使用者は操作部４によって運転を指示し、電動送風機２の回転を開始させる。掃除を開始すると、空気と共に、床面の塵埃が、ホース３を通り、集塵室６内の集塵袋５に入る。このとき集塵袋５内には大きな塵埃が残り、花粉等の微細な塵埃は、空気と共に集塵袋５を構成している紙や布の隙間を通過してしまう。
【００２１】
そして、集塵袋５を通過した塵埃は、電動送風機２を通りフィルター７に達する。フィルター７ではかなりの量の塵埃を付着させほとんどの微細な塵埃もフィルター７を通過することができずにこの部分で停滞してしまうが、ごく一部の微細な塵埃は、フィルター７を通過してしまうものもある。
【００２２】
しかしながら本実施の形態では、フィルター７の後方に、通電されて発熱した熱線８が配されているので、塵埃がこの熱線８を通過するときに、燃焼し消滅してしまうことになる。
【００２３】
このとき、熱線８は、塵埃を燃焼させるほどの高温となっている為、本体１の熱線８の近傍となる本体１の後方の排気口１０の部分もかなり高温となってしまうことになる。そこで使用者が、操作部４により電動送風機２の回転を停止させる操作を行ったとき、まず熱線８への通電を停止させ所定の時間電動送風機２の運転を続けさせるようにする。
【００２４】
これにより熱線８近傍の本体１の排気口１０の部分の温度も低下し掃除終了後の収納等も安全に行うことが可能となる。また、本体１を、商用電源に接続時に、同時に熱線８への通電を行わずに、使用者が操作部４により電動送風機２の運転を開始したときと同時に熱線８への通電も開始するようにすることもできる。これにより、熱線８への通電時間を短縮することが可能となる為省エネをはかることができるようになる。また、使用者が操作部４により電動送風機２の回転数を変更させた場合、電動送風機２の回転数が高い場合には、熱線８を通過する空気の量は多量で、高速となる為、熱線８が非常に冷却されてしまうことになる。
【００２５】
熱線８は、所定の温度以上を保持できなければ塵埃を燃焼、消滅することができなくなるため、この場合には熱線８への通電量を増加させ、熱線８の温度が高温となるようにする。また、使用者が、操作部４の操作により電動送風機２の回転数が低くなるように操作を行った場合には、熱線８を通過する空気の量が低速となって、冷却される度合いが低下するため、熱線８への通電量を減少させることにより、熱線８の温度を一定に保持して、塵埃を確実に燃焼することができるようになる。
【産業上の利用可能性】
【００２６】
以上のように、本発明にかかる電気掃除機は、ハウスダストなどの微細な塵埃が電気掃除機本体から排出されることが無く、使用性に優れ、清潔なもので、家庭用に限らず業務用等の各種電気掃除機に適用できる。
【符号の説明】
【００２７】
１  掃除機本体（本体）
２  電動送風機
３  ホース
４  操作部
５  集塵袋
６  集塵室
７  フィルター
８  熱線
１０  排気口
【図１】
2011010934.tif 000003